(57)【特許請求の範囲】
【請求項１】
被印字媒体が搬送される所定方向と直行する方向に複数の記録素子を配列し搬送される被印字媒体に対して前記記録素子を選択的に作動させて前記被印字媒体に画像を印字する印字手段を有し、読取りの際に支障を生じないよう周囲に余白を設けることが必須のシンボル画像を前記所定方向及び／又は前記所定方向と直交する方向に複数並べて印字する印字装置であって、
画像を印字する際に前記シンボル画像の周囲に設けるべき余白のサイズデータを前記シンボル画像の種類に対応して予め記憶する余白サイズ記憶手段と、
前記所定方向及び／又は前記所定方向と直交する方向に隣接して印字するシンボル画像間に設けるべき余白のサイズを、前記余白サイズ記憶手段に記憶されたデータを参照して隣接する各シンボル画像夫々に定められた余白サイズの大きさを比較し、大きい方の余白サイズ以上、あるいは余白サイズが同一のときにはいずれか一方のサイズ以上で、且つ該隣接する各シンボル画像夫々に定められた余白サイズを加算したサイズ未満の範囲で設定する余白サイズ設定手段と、
前記余白サイズ設定手段により設定されたサイズの余白を前記隣接するシンボル画像間に設けて前記印字手段によって複数のシンボル画像を前記所定方向及び／又は前記所定方向と直交する方向に並べて被印字媒体に印字させる制御手段と、
を備えたことを特徴とする印字装置。
【請求項２】
前記余白サイズ記憶手段は、複数種類のコードのシンボル画像に対応して前記余白サイズのデータを予め記憶しており、
前記制御手段は、
入力されたコード変換用情報を、指示された種類のコードのシンボル画像を形成するためのパターンデータに変換する変換手段と、
前記余白サイズ設定手段によって設定されたサイズに対応する所定量の余白データを前記変換手段によって変換される隣接するコードのシンボル画像のパターンデータの間に挿入して印字データを作成する印字データ作成手段と、
この印字データ作成手段によって作成された印字データを前記印字手段に供給して印字を行わせる印字制御手段と、
を備えることを特徴とする請求項１に記載の印字装置。
【請求項３】
前記余白サイズ設定手段は、
前記余白サイズ記憶手段に記憶されたデータを参照して隣接するシンボル画像夫々に定められた余白サイズの大きさを比較する比較手段と、
前記余白サイズ記憶手段に記憶されたデータ及び前記比較手段の比較の結果に基づいて、隣接するシンボル画像間の余白サイズを演算する演算手段と、
を備えたことを特徴とする請求項１又は２に記載の印字装置。
【請求項４】
被印字媒体が搬送される所定方向と直行する方向に複数の記録素子を配列し搬送される被印字媒体に対して前記記録素子を選択的に作動させて前記被印字媒体に画像を印字する印字手段と、シンボル画像を印字する際にシンボル画像の周囲に設けるべき余白のサイズデータをシンボル画像の種類に対応して予め記憶する記憶手段とを備えた印字装置によって、読取りの際に支障を生じないよう周囲に余白を設けることが必須のシンボル画像を前記所定方向及び／又は前記所定方向と直交する方向に複数並べて印字する印字方法であって、
前記所定方向及び／又は前記所定方向と直交する方向に隣接して印字するシンボル画像間に設けるべき余白のサイズを、前記記憶手段に記憶された余白のサイズデータを参照して隣接する各シンボル画像夫々に定められた余白サイズの大きさを比較し、大きい方の余白サイズ以上、あるいは余白サイズが同一のときにはいずれか一方の余白サイズ以上で、且つ該隣接する各画像夫々に定められた余白サイズを加算したサイズ未満の範囲で設定する工程と、
前記設定されたサイズの余白を前記隣接するシンボル画像間に設けて複数のシンボル画像を前記所定方向及び／又は前記所定方向と直交する方向に並べて被印字媒体に印字する工程と、
を備えたことを特徴とする印字方法。
【請求項５】
前記印字する工程は、
入力されたコード変換用情報を、指示された種類のコードのシンボル画像を形成するためのパターンデータに変換する工程と、
前記設定されたサイズに対応する所定量の余白データを隣接するコードのシンボル画像のパターンデータの間に挿入して印字データを作成する工程と、
作成された印字データに基づいて被印字媒体に印字を行う工程と、
を備えることを特徴とする請求項４に記載の印字方法。
【請求項６】
前記余白サイズを設定する工程は、
前記記憶手段に記憶されたデータを参照して隣接するシンボル画像夫々に定められた余白サイズの大きさを比較する工程と、
前記余白サイズ記憶手段に記憶されたデータ及び前記比較の結果に基づいて、隣接するシンボル画像間の余白サイズを演算する工程と、
を備えたことを特徴とする請求項４又は５に記載の印字方法。
【発明の詳細な説明】
【技術分野】
【０００１】
本発明は、複数個のバーコードなどのシンボルの画像を続けて印字する印字装置及び印字方法に関する。
【背景技術】
【０００２】
従来、バーコードを印字用テープに印字する印字装置が提案されている（下記の特許文献１）。通常、バーコードでは、そのバーコードシンボルの画像をバーコードリーダーで読み取るために、読み取り方向の前後位置、すなわちバーコードシンボルの画像の左右両端に所定の長さの余白を必要とする。このため、前記印字装置では、バーコード変換用のデータを入力するとともに、そのバーコード変換用のデータをバーコードのドットパターンに変換し、そのドットパターンの左右両端位置にそれぞれ所定長さの余白を形成するべく所定量の余白形成のためのドットパターンを挿入して印字パターンデータを作成している。
【特許文献１】特開平５−３４２３８５号公報
【発明の開示】
【発明が解決しようとする課題】
【０００３】
前記従来の印字装置は、所定種類の１個のバーコードシンボルの画像を印字するものであるが、複数種類のバーコードのシンボル画像を連続して印字したい場合がある。しかし、前記従来の印字装置におけるバーコードの印字技術によれば、バーコードのドットパターンデータの左右両端部に余白を設定するためのドットパターンデータを挿入し、それらの余白のデータを含めてバーコード印字のドットパターンデータを生成するものであるため、複数種類の複数個のバーコードシンボルの画像を連続して印字することになると、その複数個の各バーコードのそれぞれについて左右の余白部を含んだドットパターンデータを生成することになり、連続して配置されるバーコードシンボルの画像間に必要以上に大きな余白が設定されることになる。このため、連続した複数個のバーコードの全体印字長が長くなり、占有する印字スペースが大きくなるという問題を生じる。
【０００４】
本発明は、上記問題を解決するものであり、コードのシンボル画像などのように側方に余白を設けることが必須の複数個の画像を続けて印字する場合、画像間に設定する余白の長さが必要以上に大きくならないようにして、連続した複数個の画像の全体印字長をより短くすることが可能であり、占有印字スペースを小さくできる印字装置及び印字方法を提供することを目的とする。
【課題を解決するための手段】
【０００５】
本発明の印字装置は、被印字媒体が搬送される所定方向と直行する方向に複数の記録素子を配列し搬送される被印字媒体に対して前記記録素子を選択的に作動させて前記被印字媒体に画像を印字する印字手段を有し、読取りの際に支障を生じないよう周囲に余白を設けることが必須のシンボル画像を前記所定方向及び／又は前記所定方向と直交する方向に複数並べて印字する印字装置であって、画像を印字する際に前記シンボル画像の周囲に設けるべき余白のサイズデータを前記シンボル画像の種類に対応して予め記憶する余白サイズ記憶手段と、前記所定方向及び／又は前記所定方向と直交する方向に隣接して印字するシンボル画像間に設けるべき余白のサイズを、前記余白サイズ記憶手段に記憶されたデータを参照して隣接する各シンボル画像夫々に定められた余白サイズの大きさを比較し、大きい方の余白サイズ以上、あるいは余白サイズが同一のときにはいずれか一方のサイズ以上で、且つ該隣接する各シンボル画像夫々に定められた余白サイズを加算したサイズ未満の範囲で設定する余白サイズ設定手段と、前記余白サイズ設定手段により設定されたサイズの余白を前記隣接するシンボル画像間に設けて前記印字手段によって複数のシンボル画像を前記所定方向及び／又は前記所定方向と直交する方向に並べて被印字媒体に印字させる制御手段とを備えることを特徴とする。
【０００６】
前記印字装置において、前記余白サイズ記憶手段は、複数種類のコードのシンボルの画像に対応して前記余白サイズのデータを予め記憶しており、前記制御手段は、入力されたコード変換用情報を指示された種類のコードのシンボル画像を形成するためのパターンデータに変換する変換手段と、前記余白サイズ設定手段によって設定されたサイズに対応する所定量の余白データを前記変換手段によって変換される隣接するコードのシンボル画像のパターンデータの間に挿入して印字データを作成する印字データ作成手段と、この印字データ作成手段によって作成された印字データを前記印字手段に供給して印字を行わせる印字制御手段とを備えることを特徴とする。
【０００７】
また、前記印字装置において、前記余白サイズ設定手段は、前記余白サイズ記憶手段に記憶されたデータを参照して隣接するシンボル画像夫々に定められた余白サイズの大きさを比較する比較手段と、前記余白サイズ記憶手段に記憶されたデータ及び前記比較手段の比較の結果に基づいて、隣接するシンボル画像間の余白サイズを演算する演算手段とを備えたことを特徴とする。
【０００８】
本発明の印字方法は、被印字媒体が搬送される所定方向と直行する方向に複数の記録素子を配列し搬送される被印字媒体に対して前記記録素子を選択的に作動させて前記被印字媒体に画像を印字する印字手段と、シンボル画像を印字する際にシンボル画像の周囲に設けるべき余白のサイズデータをシンボル画像の種類に対応して予め記憶する記憶手段とを備えた印字装置によって、読取りの際に支障を生じないよう周囲に余白を設けることが必須のシンボル画像を前記所定方向及び／又は前記所定方向と直交する方向に複数並べて印字する印字方法であって、前記所定方向及び／又は前記所定方向と直交する方向に隣接して印字するシンボル画像間に設けるべき余白のサイズを、前記記憶手段に記憶された余白のサイズデータを参照して隣接する各シンボル画像夫々に定められた余白サイズの大きさを比較し、大きい方の余白サイズ以上、あるいは余白サイズが同一のときにはいずれか一方の余白サイズ以上で、且つ該隣接する各画像夫々に定められた余白サイズを加算したサイズ未満の範囲で設定する工程と、前記設定されたサイズの余白を前記隣接するシンボル画像間に設けて複数のシンボル画像を前記所定方向及び／又は前記所定方向と直交する方向に並べて被印字媒体に印字する工程とを備えたことを特徴とする。
【０００９】
前記印字方法において、前記印字する工程は、入力されたコード変換用情報を、指示された種類のコードのシンボル画像のパターンデータに変換する工程と、前記設定されたサイズに対応する所定量の余白データを隣接するコードのシンボル画像のパターンデータの間に挿入して印字データを作成する工程と、作成された印字データに基づいて被印字媒体に印字を行う工程とを備えることを特徴とする。
【００１０】
また、前記印字方法において、前記余白サイズを設定する工程は、前記記憶手段に記憶されたデータを参照して隣接するシンボル画像夫々に定められた余白サイズの大きさを比較する工程と、前記余白サイズ記憶手段に記憶されたデータ及び前記比較の結果に基づいて、隣接するシンボル画像間の余白サイズを演算する工程とを備えたことを特徴とする。
【発明の効果】
【００１１】
本発明の印字装置によれば、バーコードや２次元コードのシンボルの画像など、側方に余白を設けることが必須の画像を所定方向及び／又は所定方向と直交する方向に複数個並べて印字する際に、隣接して印字する画像間に設けるべき余白サイズを、隣接する各画像夫々に定められた余白サイズの大きさを比較し、大きい方の余白サイズ以上、あるいは余白サイズ同一のときにはいずれか一方のサイズ以上で、且つ該隣接する各画像夫々に定められた余白サイズを加算したサイズ未満の範囲で設定するように、余白サイズ設定手段を備えると共に、その設定されたサイズの余白を隣接画像間に設けて印字させる制御手段を備えて構成したため、バーコードや２次元コードのシンボルの画像の側方に必要な余白を確保して複数個の各コードのシンボル画像の読み取りが支障なくできると共に、画像間に設定する余白の長さが必要以上に大きくならないようにして、連続した複数個の画像の全体印字長をより短くすることが可能であり、占有印字スペースを小さくして複数個の画像を印字することができる。
【００１２】
また、本発明の印字方法によれば、バーコードや２次元コードのシンボルの画像など、側方に余白を設けることが必須の画像を所定方向及び／又は所定方向と直交する方向に複数個並べて印字する際に、隣接して印字する画像間に設けるべき余白サイズを、隣接する各画像夫々に定められた余白サイズの大きさを比較し、大きい方の余白サイズ以上、あるいは余白サイズ同一のときにはいずれか一方のサイズ以上で、且つ該隣接する各画像夫々に定められた余白サイズを加算したサイズ未満の範囲で設定する工程を備えると共に、その設定されたサイズの余白を隣接画像間に設けて印字する工程を備えて構成したため、バーコードや２次元コードのシンボルの画像の側方に必要な余白を確保して複数個の各コードのシンボル画像の読み取りが支障なくできると共に、画像間に設定する余白の長さが必要以上に大きくならないようにして、連続した複数個の画像の全体印字長をより短くすることが可能であり、占有印字スペースを小さくして複数個の画像を印字することができる。
【発明を実施するための最良の形態】
【００１３】
以下、本発明の実施の形態を図面を参照して説明する。図１は本発明の実施形態に係るラベルシートを作成する印字装置の平面図、図２はその印字装置に使用するテープカセットの外観及び印字装置の内部構造の一部を示す斜視図である。図１及び図２に示すように、印字装置１は、装置本体２の上面にキー入力部３、表示部４、および開閉蓋５を備えている。開閉蓋５の内側には印字テープ３１及びインクリボン３５を収容したテープカセット２１を装填するためのカセット装填部６が形成されており、テープカセット２１は開閉蓋５を開放した状態でカセット装填部６に着脱可能に装填される。
【００１４】
キー入力部３は、印字する文字列のデータを入力する文字キー、印字開始を指示する印字キー、表示部４の表示画面上のカーソルを移動操作するカーソルキー、入力された文字列の編集処理、各種設定処理、印字処理等に必要な種々の制御キーを備えている。
【００１５】
表示部４は、液晶表示装置であり、入力されたデータや各種設定のための選択メニュー画面や処理に関するメッセージなどが表示されると共に、作成されるラベルの長さや印字モードの状態などの各種の情報を表示する。
【００１６】
カセット装填部６内には、印字素子が縦方向に配列され印字テープ３１に印字するサーマルヘッド７と、サーマルヘッド７との間で印字テープ３１及びインクリボン３５を挟んでこれを搬送するプラテンローラ８と、使用したインクリボン３５をテープカセット２１内に巻き取るリボン巻取軸９とを備え、更に、テープカセット２１を所定の位置に支持するためのカセット受部１０やテープカセット２１に嵌合して位置決めをする嵌合軸１１を備えている。また、カセット装填部６の一端部には装置本体２外に通じる排出口１２が形成されており、この排出口１２には、モータにより駆動されて印字された部分を印字テープ３１からラベルとして切り離すための固定場１３ａと可動刃１３ｂとからなるカッタ１３が設けられている。
【００１７】
一方、テープカセット２１は、上ケース２２ａと下ケース２２ｂを組み合わせて構成したカセットケース２２を備え、このカセットケース２２の内部には、印字テープ３１を巻回したテープコア２３、未使用のインクリボン３５を巻回したリボン供給コア２４、印字に使用済のインクリボン３５を巻き取るリボン巻取コア２５がそれぞれ収納されている。前記印字テープ３１は、印字が行われる印字テープ層と貼着剤層と剥離テープ層の積層構造を有している。このテープカセット２１のカセットケース２２には、カセット装填部６内にテープカセット２１を装填したときにサーマルヘッド７が配置されるヘッド配置部２７が形成されており、また、カセットケース２２の隅部には、カセット装填部６のカセット受部１０に係合してそれに支持される被係合部２９が形成されている。
【００１８】
テープカセット２１をカセット装填部６に装填して印字開始の指示をすると、印字テープ３１とインクリボン３５とがテープカセット２１から引き出され、重ね合わせた状態でプラテンローラ８とサーマルヘッド７の間に挟まれて共に搬送されると共に、サーマルヘッド７がキー入力部３から入力された印字データに基づいて発熱駆動されてインクリボン３５のインクが印字テープ３１に熱転写されて印字が行われる。
【００１９】
図３は印字装置の電子回路の構成を示すブロック図である。同図に示すように、この印字装置の電子回路には、ＣＰＵからなる制御部５０が備えられ、制御部５０は、キー入力部３からのキー操作信号に応じてＲＯＭ５１に予め記憶されているシステムプログラムを起動させ、ＲＡＭ５２をワークメモリとして回路各部の動作を制御するもので、この制御部５０には、前記キー入力部３３、ＲＯＭ５１、ＲＡＭ５２が接続される他、表示用の文字フォントを格納する表示用フォントＲＯＭ５３、印字用の文字フォントを格納する印字用フォントＲＯＭ５４、サーマルヘッド７を印字データに応じて発熱駆動する駆動回路５５、プラテンローラ８及びリボン巻取軸９を駆動するためのステップモータからなる搬送モータ５６の駆動回路５７、カッタ１３を駆動するためのカッタモータ５８の駆動回路５９が接続され、また入力された文字データなどを表示するための表示部４が接続される。
【００２０】
ＲＯＭ５１には、キー入力部３から入力された情報をバーコードや２次元コードのパターン情報に変換するプログラム、そのパターン情報を印字するためのプログラムの他、印字装置１の動作の制御に関するプログラムが記憶されている。また、ＲＯＭ５１には、図４に示すような、バーコードの種類に対応して、そのバーコードのシンボルの左右両側にそれぞれ設けるべき余白サイズのデータが記憶されている。
【００２１】
また、ＲＡＭ５２には、キー入力部３から入力され印字テープ３１に印字される文字情報、あるいはキー入力部３から入力されバーコードや２次元コードに変換される文字情報などを記憶するメモリ領域が確保されると共に、入力された文字情報や作成されたコードのシンボルのパターン情報が展開されて記憶される印字情報メモリ、表示部４に表示される情報が記憶される表示情報メモリの各領域が確保され、印字処理などに必要な情報を一時的に記憶するレジスタやカウンタが設けられている。
【００２２】
以下、印字装置１によって行われる印字処理について、図５のフローチャートに従って説明する。この印字装置１では、所定の印字モードの設定により、複数種類のバーコードあるいは２次元コードのシンボルの印字を行うことができる。そして、その印字処理では、指定した１個のバーコードあるいは２次元コードのシンボル画像を印字することができると共に、複数種類のバーコードのシンボル画像を複数個並べて印字することもできるようになっている。
【００２３】
図５において、所定の印字モードが設定され、まず、システムのイニシャル処理が行われる（ステップＳ１）。次に、印字を行うバーコードの種類が操作者によって入力される。この印字装置では、図４に示すバーコードの種類で示す複数種類のバーコードのシンボルが印字可能であり、操作者はこれらの印字を行うバーコードとして、これらの印字可能なバーコードの種類を選択して入力する（ステップＳ２）。次に、バーコード変換用のデータを入力する（ステップＳ３）。バーコードの種類が指定され、バーコード変換用のデータが入力されると、印字するバーコードの入力個数をカウントするためのカウンタｋが１だけインクリメントされる（ステップＳ４）。次に、バーコードを更に連続して入力するか、入力を終了するかの選択画面が表示され操作者によって選択される（ステップＳ５）。この選択画面において、操作者によって連続入力が選択されれば、ステップＳ２からＳ６のバーコードの種類の指定及びバーコード変換用データの入力の処理が繰り返され、バーコードの入力個数を示すカウンタｋがバーコードの入力個数だけカウントアップされる。
【００２４】
ステップＳ５の選択画面での選択において入力終了が選択されたと判断されると（ステップＳ６のＹＥＳ）、次にカウンタｋの値が２以上か否かが判断される（ステップＳ７）。カウンタｋの値が２以上であると判断されると（ステップＳ７のＹＥＳ）、ステップＳ２及びＳ３のバーコードの入力処理によって入力された複数個のバーコードを入力順位の先頭から順に指示するためのポインタの値ｎが１にセットされ（ステップＳ８）、まず、最初に入力され最前部に印字されるバーコードの前部（最左端）に設定すべき余白サイズが図４に示すＲＯＭ５１に予め記憶された余白サイズのデータを参照して設定される。すなわち、最初のバーコードの種類に応じた前部余白（左余白）の余白サイズのデータがＲＯＭ５１から読み出されてＲＡＭ５２に設定される（ステップＳ９）。次に、ｎ番目に入力された所定種類のバーコードの後部余白（右余白）に定められた長さが、入力順位がｎ＋１番目の所定種類のバーコードの前部余白（左余白）に定められた長さ以上か否かが、図４に示すＲＯＭ５１に予め記憶されている余白サイズのデータを参照して判断される（ステップＳ１０）。
【００２５】
入力順位がｎ番目のバーコードの後部余白（右余白）に定められた長さが、入力順位がｎ＋１番目のバーコードの前部余白（左余白）に定められた長さ以上であれば（ステップＳ１０のＹＥＳ）、ｎ番目のバーコードとｎ＋１番目のバーコードの間の余白サイズとして、ｎ番目のバーコードの後部余白に定められた長さが設定される（ステップＳ１１）。なお、この場合、ｎ番目とｎ＋１番目のバーコードの間の余白は、ｎ番目のバーコードの後部余白（右余白）に定められた長さ以上で、且つｎ番目のバーコードの後部余白（右余白）に定められた長さとｎ＋１番目のバーコードの前部余白（左余白）に定められた長さを加算した長さ未満の長さであればよい。したがって、ステップＳ１０の比較の結果及びＲＯＭ５１に予め記憶されている余白サイズのデータに基づいて所定の演算式を用いて演算により求めるようにしてもよい。すなわち、例えば、「求める余白サイズ」＝「ｎ番目のバーコードの後部余白（右余白）に定められた長さ」＋「ｎ＋１番目のバーコードの前部余白（左余白）に定められた長さ」÷Ｎなる演算式を用いる。但し、Ｎは１を超える適宜な数値とする。
【００２６】
また、入力順位がｎ番目のバーコードの後部余白（右余白）に定められた長さが、入力順位がｎ＋１番目のバーコードの前部余白（左余白）に定められた長さ未満であれば（ステップＳ１０のＮＯ）、ｎ番目のバーコードとｎ＋１番目のバーコードの間の余白サイズとして、ｎ＋１番目のバーコードの前部余白に定められた長さが設定される（ステップＳ１２）。なお、この場合、ｎ番目とｎ＋１番目のバーコードの間の余白は、ｎ＋１番目のバーコードの前部余白（左余白）に定められた長さ以上で、且つｎ番目のバーコードの後部余白（右余白）に定められた長さとｎ＋１番目のバーコードの前部余白（左余白）に定められた長さを加算した長さ未満の長さであればよい。したがって、ステップＳ１０の比較の結果及びＲＯＭ５１に予め記憶されている余白サイズのデータに基づいて所定の演算式を用いて演算により求めるようにしてもよい。すなわち、例えば、「求める余白サイズ」＝「ｎ＋１番目のバーコードの前部余白（左余白）に定められた長さ」＋「ｎ番目のバーコードの後部余白（右余白）に定められた長さ」÷Ｎなる演算式を用いる。但し、Ｎは１を超える適宜な数値とする。
【００２７】
このｎ番目のバーコードとｎ＋１番目のバーコードの間の余白サイズの設定が終了すると、ポインタの値ｎをインクリメントし（ステップＳ１３）、ポインタの値がｎ≧ｋ−１となって入力された全てのバーコード間の余白サイズの設定が完了するまで繰り返される。全てのバーコード間の余白サイズの設定が完了すると（ステップＳ１４のＹＥＳ）、入力された一連のバーコードの最後部（最右端）の余白サイズが設定される（ステップＳ１５）。
【００２８】
一方、ステップＳ７において、カウンタｋの値が２以上ではないと判断されると、入力されたバーコードは１個であり、ＲＯＭ５１に予め記憶されている余白サイズのデータが参照されて、そのバーコードの種類に応じた余白サイズのデータがＲＯＭ５１から読み出され前部余白（左余白）と後部余白（右余白）の余白サイズとしてＲＡＭ５２に設定される（ステップＳ１６）。
【００２９】
しかして、入力されたバーコード変換用データが指定された種類のバーコードにコード変換されてコードのシンボル画像のパターンデータが生成され、ステップＳ９、Ｓ１１、Ｓ１２、Ｓ１５、Ｓ１６のそれぞれで設定された余白サイズに基づいて余白のパターンが挿入されて印字パターンデータが作成される（ステップＳ１７）。そして、作成された印字パターンデータに基づいて印字テープ３１に印字が行われる（ステップＳ１８）。
【００３０】
図６は（ａ）は２種類のバーコードのシンボルＢ１、Ｂ２の画像を連続して印字したラベルの印字例である。この例では、バーコードのシンボルＢ１の左余白サイズにＬ１、右余白サイズにＲ１の設定が定められており、バーコードのシンボルＢ２の左余白サイズにＬ２、右余白サイズにＲ２の設定が定められている場合において、バーコードのシンボルＢ２の左余白サイズＬ２がバーコードのシンボルＢ１の右余白サイズＲ１以上であるため、バーコードシンボルＢ１とバーコードシンボルＢ２との間に、バーコードのシンボルＢ２の左余白サイズＬ２を設定したものである。
【００３１】
また、図６（ｂ）はバーコードのシンボルＢ２だけを単独で印字した例を示している。図５において、１種類のバーコードを指定すると共に、その変換用データを入力し、ステップＳ５で入力終了を選択した場合の例である。
【００３２】
以上の述べたように、本実施の形態の印字装置によれば、複数のバーコードを連続して１枚のラベルに印字する場合に、従来は、前後に隣接するバーコードのシンボル画像のそれぞれに予め定められた後部余白サイズと前部余白サイズとを加算して余白サイズを設定し印字したのに対して、前方にあるバーコードのシンボル画像に予め定められた長さの右余白サイズと後方にあるバーコードのシンボル画像に予め定められた長さの左余白サイズとを比較し、大きい方の余白サイズに設定して印字するようにしたので、その全体印字長をより短くすることができ、しかもバーコードリーダーなどの読取装置によるコードの読み取りも支障なく行うことができる。
【００３３】
なお、前記実施の形態では、前方にあるバーコードのシンボル画像に予め定められた長さの右余白サイズと後方にあるバーコードのシンボル画像に予め定められた長さの左余白サイズとを比較し、両バーコード画像間の余白を大きい方の余白サイズに設定して印字する構成としたが、比較する余白サイズが同一のときには、いずれか一方の余白サイズ以上で、且つ該隣接する各画像夫々に定められた余白サイズを加算したサイズ未満の範囲で隣接するバーコードのシンボル画像の余白サイズを設定するようにする。
【００３４】
図７は他の印字例を示している。すなわち、符号Ｑで示すコードシンボルはＱＲコードのコードシンボルを表しており、この２次元コードのコードシンボル画像でも同様に本発明の処理により印字を行うことができる。この２次元コードのＱＲコードのコードシンボルでは、コードシンボルの周囲にそれぞれｍの余白サイズを設定することが決められているが、それぞれのコードシンボルの間にｍの余白を設ける、すなわち２ｍの余白を設ける場合に比べて全体の印字占有スペースを小さくすることができ、読取装置によるコードの読取も支障なく行うことができる。
【図面の簡単な説明】
【００３５】
【図１】本発明の実施形態に係る印字装置の平面図。
【図２】本発明の実施形態に係る印字装置の要部及びテープカセットの斜視図。
【図３】本発明の実施形態に係る印字装置の電子回路のブロック図。
【図４】本発明の実施形態に係るＲＯＭに記憶されるバーコードの種類に対応する余白サイズのデータの説明図。
【図５】本発明の実施形態に係る印字処理のフローチャート。
【図６】本発明の実施形態に係る印字例の説明図。
【図７】他の印字例の説明図。
【符号の説明】
【００３６】
１…印字装置
２…装置本体
３…キー入力部
４…表示部
６…カセット装填部
７…サーマルヘッド
８…プラテンローラ
９…リボン巻取軸
１３…ハーフカッタ
２１…テープカセット
３１…印字テープ
３５…インクリボン
５０…制御部
５１…ＲＯＭ
５２…ＲＡＭ
Ｂ１、Ｂ２…バーコードシンボル
Ｒ１、Ｒ２…右余白サイズ
Ｌ１、Ｌ２…左余白サイズ
Ｑ  …ＱＲコードのコードシンボル
ｍ  …余白サイズ
【図１】
0004661660.tif 000002
【図２】
0004661660.tif 000003
【図３】
0004661660.tif 000004
【図４】
0004661660.tif 000005
【図５】
0004661660.tif 000006
【図６】
0004661660.tif 000007
【図７】
0004661660.tif 000008